(57)【要約】【課題】デジタルカメラが記憶している本画像と、他の電子機器が記憶している本画像のコピー画像との整合性を確保することが可能となる画像管理システム及び画像管理方法、デジタルカメラを提供すること目的とする。【解決手段】デジタルカメラとパーソナルコンピュータ（ＰＣ）とが接続状態であるとき、デジタルカメラに、ユーザーに選択された画像を消去したら、ＰＣに、消去した画像とリンクするＰＣ内の画像の消去を依頼する処理を行わせ（ＳＡ１，ＳＡ２）、それに応じてＰＣには、カメラ内で消去された画像とリンクしている画像を消去する処理を行わせる（ＳＢ２）。デジタルカメラ側とＰＣ側とにおいて各々が記憶している元画像とコピー画像との整合性が確保される。【選択図】　　図４
2004112755.tif 000002
【特許請求の範囲】
【請求項１】
デジタルカメラと画像記録装置とからなる画像管理システムであって、
前記デジタルカメラは、
被写体を撮像し、画像データを出力する撮像手段と、
この撮像手段から出力された画像データを記憶する第１の記憶手段と、
この第１の記憶手段に記憶されている画像データに対して所定の処理を実行する第１の制御手段と、
前記画像記録装置に前記所定の処理の実行を要求する要求情報を送信する送信手段とを備え、
前記画像記録装置は、
画像データを記憶する第２の記憶手段と、
前記送信手段から送信された要求情報を受信する受信手段と、
この受信手段により受信された要求情報に基づき、前記第２の記憶手段に記憶されている、前記第１の制御手段により前記所定の処理が実行された画像データに対応した画像データに対して前記所定の処理を実行する第２の制御手段と
を備えたことを特徴とする画像管理システム。
【請求項２】
前記第２の制御手段は、
前記第２の記憶手段に記憶されている画像データのうち所定の画像データの中から、前記第１の制御手段により前記所定の処理が実行された画像データに対応した画像データを検索する検索手段を含み、
この検索手段により検索された画像データに対して前記所定の処理を実行することを特徴とする請求項１記載の画像管理システム。
【請求項３】
前記画像記録装置は、さらに、
前記第２の制御手段が前記所定の処理を実行した後、所定の処理が完了した旨を示す情報を前記デジタルカメラに送信する第２の送信手段を備え、
前記デジタルカメラは、さらに、
前記第２の送信手段により送信された情報を受信する第２の受信手段を備えることを特徴とする請求項１又は２記載の画像管理システム。
【請求項４】
被写体を撮像し、画像データを出力する撮像手段と、
この撮像手段から出力された画像データを記憶する記憶手段と、
この記憶手段に記憶されている画像データに対して所定の処理を実行する制御手段と、
外部機器に記憶されている、前記制御手段により前記所定の処理が実行された画像データに対応した画像データ、に対する前記所定の処理の実行を要求する要求情報を、前記外部機器に送信する送信手段と
を備えたことを特徴とするデジタルカメラ。
【請求項５】
前記要求情報は、前記所定の処理の内容を特定するコマンド情報と、前記所定の処理対象の画像データを特定する画像識別情報とを含むことを特徴とする請求項４記載のデジタルカメラ。
【請求項６】
前記画像識別情報は、画像ファイル名を含むことを特徴とする請求項５記載のデジタルカメラ。
【請求項７】
前記所定の処理は、消去処理を含むことを特徴とする請求項４乃至６のいずれかに記載のデジタルカメラ。
【請求項８】
前記記憶手段に記憶されている画像データの中から任意の画像データを選択する選択手段を備え、
前記制御手段は、前記選択手段により任意に選択された画像データに対して前記所定の処理を実行することを特徴とする請求項４乃至７のいずれかに記載のデジタルカメラ。
【請求項９】
前記デジタルカメラと外部機器とが電気的に接続されているか否かを判断する判断手段を備え、
前記送信手段は、前記判断手段により電気的に接続されていると判断された場合に前記要求情報を外部機器に送信することを特徴とする請求項４乃至８のいずれかに記載のデジタルカメラ。
【請求項１０】
前記判断手段により電気的に接続されていないと判断された場合にその旨を報知する報知手段を備えたことを特徴とする請求項９記載のデジタルカメラ。
【請求項１１】
前記判断手段により電気的に接続されていないと判断された場合に前記デジタルカメラと外部機器との電気的な接続処理を実行する接続手段を備えたことを特徴とする請求項９記載のデジタルカメラ。
【請求項１２】
前記送信手段は、通信ケーブルを介して前記外部機器に要求情報を送信することを特徴とする請求項４乃至１１のいずれかに記載のデジタルカメラ。
【請求項１３】
前記送信手段は、無線通信手段を用いて前記外部機器に要求情報を送信することを特徴とする請求項４乃至１１のいずれかに記載のデジタルカメラ。
【請求項１４】
前記送信手段は、通信ネットワークを介して前記外部機器に要求情報を送信することを特徴とする請求項４乃至１１のいずれかに記載のデジタルカメラ。
【請求項１５】
前記外部機器を特定する送信先情報を記憶する第２の記憶手段を備え、
前記送信手段は、この第２の記憶手段に記憶されている送信先情報により特定される外部機器に前記要求情報を送信することを特徴とする請求項４乃至１４のいずれかに記載のデジタルカメラ。
【請求項１６】
前記外部機器は、パーソナルコンピュータであることを特徴とする請求項４乃至１５のいずれかに記載のデジタルカメラ。
【請求項１７】
前記記憶手段に記憶されている画像データに対する前記所定の処理の実行を前記制御手段に対して指示するとともに、前記外部機器に対する要求情報の送信を前記送信手段に対して指示する指示手段を備えたことを特徴とする請求項４乃至１６のいずれかに記載のデジタルカメラ。
【請求項１８】
前記指示手段により指示された前記要求情報の送信をキャンセルするキャンセル手段を備えたことを特徴とする請求項１７記載のデジタルカメラ。
【請求項１９】
所定の処理モードを設定するモード設定手段を備え、
前記送信手段は、前記モード設定手段により前記所定の処理モードが設定されている状態で前記制御手段により所定の処理が実行された場合にのみ前記要求情報を外部機器に送信することを特徴とする請求項４乃至１８のいずれかに記載のデジタルカメラ。
【請求項２０】
第１の処理モードと第２の処理モードのうちいずれか１つのモードを設定するモード設定手段と、
前記記憶手段に記憶されている画像データに対する前記所定の処理の実行を前記制御手段に対して指示する指示手段と、
前記モード設定手段により前記第１の処理モードが設定されている状態で前記指示手段により所定の処理の実行が指示された場合、前記所定の処理の実行を前記制御手段に行わせるとともに、前記外部機器に対する要求情報の送信を前記送信手段に行わせる第２の制御手段と、
前記モード設定手段により前記第２の処理モードが設定されている状態で前記指示手段により所定の処理の実行が指示された場合、前記所定の処理の実行を前記制御手段に行わせる第３の制御手段と
を備えたことを特徴とする請求項４乃至１６のいずれかに記載のデジタルカメラ。
【請求項２１】
前記記憶手段に記憶されている画像データに対する前記所定の処理の実行を前記制御手段に対して指示する第１の指示手段と、
前記記憶手段に記憶されている画像データに対する前記所定の処理の実行を前記制御手段に対して指示するとともに、前記外部機器に対する要求情報の送信を前記送信手段に対して指示する第２の指示手段と
を備えたことを特徴とする請求項４乃至１６のいずれかに記載のデジタルカメラ。
【請求項２２】
デジタルカメラのメモリに記憶されている画像データに対して所定の処理を実行する第１のステップと、
前記所定の処理の実行を要求する要求情報を前記デジタルカメラから画像記録装置に対して送信する第２のステップと、
前記画像記録装置が前記要求情報を受信する第３のステップと、
受信した要求情報に基づき、前記画像記録装置のメモリに記憶されている、前記所定の処理が実行された画像データに対応した画像データに対して前記所定の処理を実行する第４のステップと
を含む画像管理方法。
【請求項２３】
撮影処理により得られた画像データを記憶するメモリを備えたデジタルカメラが有するコンピュータに、
前記メモリに記憶されている画像データに対して所定の処理を実行する第１の処理と、
外部機器のメモリに記憶されている、前記所定の処理が実行された画像データに対応した画像データに対する前記所定の処理の実行を要求する要求情報を、前記外部機器に対して送信する第２の処理と
を実行させるためのプログラム。
【発明の詳細な説明】
【０００１】
【発明の属する技術分野】
本発明は、デジタルカメラに記録されている画像データを外部機器に送信（転送）して記録することが可能な画像管理システム及び画像管理方法と、それを実現するデジタルカメラに関する。
【０００２】
【従来の技術】
近年、デジタルカメラにおいて撮影した画像の記録用に用いられている記録媒体、例えば着脱可能な各種のメモリ・カードにあっては、その記憶容量が数十ないし百メガバイト以上と大容量化が進んでいる。また、デジタルカメラの多くは、パーソナルコンピュータ（以下、ＰＣ）と有線または無線による接続が可能であり、ユーザーは上記記録媒体に記録された画像のデータ（画像ファイル）を適宜ＰＣへ転送することにより、撮影した画像のデータをＰＣで管理したり、撮影した画像を比較的大きなＰＣのモニターに表示させたり、印刷したりといった利用ができる。
【０００３】
【発明が解決しようとする課題】
しかしながら、デジタルカメラからＰＣ等に記録画像を転送した後、カメラ側に元画像が残っている状態で、ＰＣ側で画像の消去やプロテクトの設定などを行うと、ＰＣ側とカメラ側との間においては、互いが保有する画像についての整合性を維持することができなくなるという問題があった。このため、例えばＰＣ側である画像を消去した後、カメラ側からＰＣ側へ新たに大量の画像を転送するような場合には、カメラ側に残っている元画像を再び転送してしまい、結果としてＰＣ側で同じ画像を再び消去しなければないといった事態を生じさせる原因ともなっていた。
【０００４】
本発明は、かかる従来の課題に鑑みてなされたものであり、デジタルカメラが記憶している本画像と、他の電子機器が記憶している本画像のコピー画像との整合性を確保することが可能となる画像管理システム及び画像管理方法、デジタルカメラを提供すること目的とする。
【０００５】
【課題を解決するための手段】
前記課題を解決するために請求項１の発明にあっては、デジタルカメラと画像記録装置とからなる画像管理システムであって、前記デジタルカメラは、被写体を撮像し、画像データを出力する撮像手段と、この撮像手段から出力された画像データを記憶する第１の記憶手段と、この第１の記憶手段に記憶されている画像データに対して所定の処理を実行する第１の制御手段と、前記画像記録装置に前記所定の処理の実行を要求する要求情報を送信する送信手段とを備え、前記画像記録装置は、画像データを記憶する第２の記憶手段と、前記送信手段から送信された要求情報を受信する受信手段と、この受信手段により受信された要求情報に基づき、前記第２の記憶手段に記憶されている、前記第１の制御手段により前記所定の処理が実行された画像データに対応した画像データに対して前記所定の処理を実行する第２の制御手段とを備えたものとした。
【０００６】
かかる構成においては、デジタルカメラにおいて、第１の記憶手段に記憶されている画像データに対して何らかの処理（消去処理、プロテクト処理、所定の画像加工処理など）が行われた際には、当該画像データに対応した画像データに対する同一の処理の実行を要求する要求情報が画像記録装置に送られることにより、画像記録装置においても、対応した画像データに同一の処理を行わせることができる。
【０００７】
また、請求項２の発明にあっては、前記第２の制御手段は、前記第２の記憶手段に記憶されている画像データのうち所定の画像データの中から、前記第１の制御手段により前記所定の処理が実行された画像データに対応した画像データを検索する検索手段を含み、この検索手段により検索された画像データに対して前記所定の処理を実行するものとした。
【０００８】
かかる構成においては、画像記録装置における検索処理に要する負担を大幅に軽減させることができる。
【０００９】
また、請求項３の発明にあっては、前記画像記録装置は、さらに、前記第２の制御手段が前記所定の処理を実行した後、所定の処理が完了した旨を示す情報を前記デジタルカメラに送信する第２の送信手段を備え、前記デジタルカメラは、さらに、前記第２の送信手段により送信された情報を受信する第２の受信手段を備えるものとした。
【００１０】
かかる構成においては、画像記録装置において前記所定の処理が実行されたか否かをデジタルカメラ側で確実に認識することができ、画像記録装置に対して前記所定の処理を確実に行わせることができる。
【００１１】
また、請求項４の発明にあっては、被写体を撮像し、画像データを出力する撮像手段と、この撮像手段から出力された画像データを記憶する記憶手段と、この記憶手段に記憶されている画像データに対して所定の処理を実行する制御手段と、　外部機器に記憶されている、前記制御手段により前記所定の処理が実行された画像データに対応した画像データ、に対する前記所定の処理の実行を要求する要求情報を、前記外部機器に送信する送信手段とを備えるものとした。
【００１２】
かかる構成においては、記憶手段に記憶されている画像データに対して何らかの処理（消去処理、プロテクト処理等）を行った際には、当該画像データに対応した画像データに対する同一の処理の実行を要求する要求情報を、外部機器に送ることができる。
【００１３】
また、請求項５の発明にあっては、前記要求情報は、前記所定の処理の内容を特定するコマンド情報と、前記所定の処理対象の画像データを特定する画像識別情報とを含むものとした。
【００１４】
かかる構成においては、外部機器において、画像識別情報に基づいて特定される画像データに対してコマンド情報に基づいて特定される処理を実行することができる。
【００１５】
また、請求項６の発明にあっては、前記画像識別情報は、画像ファイル名を含むものとした。
【００１６】
かかる構成においては、撮影時に画像データに対して付与された画像ファイル名を用いて外部機器において所定の処理を実行すべき画像データを特定することができる。
【００１７】
また、請求項７の発明にあっては、前記所定の処理は、消去処理を含むものとした。
【００１８】
かかる構成においては、デジタルカメラの記憶手段に記憶されている画像データを消去すると、外部機器に記憶されている対応する画像データも消去することができる。
【００１９】
また、請求項８の発明にあっては、前記記憶手段に記憶されている画像データの中から任意の画像データを選択する選択手段を備え、前記制御手段は、前記選択手段により任意に選択された画像データに対して前記所定の処理を実行するものとした。
【００２０】
かかる構成においては、ユーザが記憶手段に記憶されている画像データの中から任意に選択した画像データに対してのみ所定の処理を行わせることができる。
【００２１】
また、請求項９の発明にあっては、前記デジタルカメラと外部機器とが電気的に接続されているか否かを判断する判断手段を備え、前記送信手段は、前記判断手段により電気的に接続されていると判断された場合に前記要求情報を外部機器に送信するものとした。
【００２２】
かかる構成においては、前記デジタルカメラと外部機器とが電気的に接続されていない場合は要求情報の送信処理を実行しないので無駄な処理の実行を防止することができる。
【００２３】
また、請求項１０の発明にあっては、前記判断手段により電気的に接続されていないと判断された場合にその旨を報知する報知手段を備えるものとした。
【００２４】
かかる構成においては、ユーザに要求情報が外部機器に送信できなかったことを知らせることができ、前記デジタルカメラと外部機器との電気的な接続をユーザに促すことができる。
【００２５】
また、請求項１１の発明にあっては、前記判断手段により電気的に接続されていないと判断された場合に前記デジタルカメラと外部機器との電気的な接続処理を実行する接続手段を備えるものとした。
【００２６】
かかる構成においては、確実に要求情報を外部機器に対して送信することができる。
【００２７】
また、請求項１２の発明にあっては、前記送信手段は、通信ケーブルを介して前記外部機器に要求情報を送信するものとした。
【００２８】
かかる構成においては、デジタルカメラから外部機器に対して要求情報を通信ケーブルを利用して送信することができる。
【００２９】
また、請求項１３の発明にあっては、前記送信手段は、無線通信手段を用いて前記外部機器に要求情報を送信するものとした。
【００３０】
かかる構成においては、デジタルカメラから外部機器に対して要求情報を無線通信を利用して送信することができる。
【００３１】
また、請求項１４の発明にあっては、前記送信手段は、通信ネットワークを介して前記外部機器に要求情報を送信するものとした。
【００３２】
かかる構成においては、デジタルカメラから外部機器に対して要求情報を通信ネットワークを利用して送信することができる。
【００３３】
また、請求項１５の発明にあっては、前記外部機器を特定する送信先情報を記憶する第２の記憶手段を備え、前記送信手段は、この第２の記憶手段に記憶されている送信先情報により特定される外部機器に前記要求情報を送信するものとした。
【００３４】
かかる構成においては、記憶手段に記憶されている画像データに対して何らかの処理を行った際には、当該画像データに対応した画像データに対する同一の処理の実行を要求する要求情報を、第２の記憶手段に記憶されている送信先情報に基づいて特定の外部機器に対して送ることができる。
【００３５】
また、請求項１６の発明にあっては、前記外部機器は、パーソナルコンピュータであるものとした。
【００３６】
かかる構成においては、デジタルカメラ内の画像データとデジタルカメラからパーソナルコンピュータに転送した画像データとの整合性を確保することができる。
【００３７】
また、請求項１７の発明にあっては、前記記憶手段に記憶されている画像データに対する前記所定の処理の実行を前記制御手段に対して指示するとともに、前記外部機器に対する要求情報の送信を前記送信手段に対して指示する指示手段を備えるものとした。
【００３８】
かかる構成においては、ユーザによる指示操作により所定の処理の実行と要求情報の送信とを行わせることができる。
【００３９】
また、請求項１８の発明にあっては、前記指示手段により指示された前記要求情報の送信をキャンセルするキャンセル手段を備えるものとした。
【００４０】
かかる構成においては、ユーザが誤って指示操作を行ってしまった場合にユーザを救済することができる。
【００４１】
また、請求項１９の発明にあっては、所定の処理モードを設定するモード設定手段を備え、前記送信手段は、前記モード設定手段により前記所定の処理モードが設定されている状態で前記制御手段により所定の処理が実行された場合にのみ前記要求情報を外部機器に送信するものとした。
【００４２】
かかる構成においては、所定のモードが設定されている時に記憶手段に記憶されている画像データに対して何らかの処理（消去処理、プロテクト処理等）を行った場合にのみ要求情報を外部機器に送信するので、ユーザが必要と判断した場合にのみ所定のモードを設定して要求情報を外部機器に送信することができる。
【００４３】
また、請求項２０の発明にあっては、第１の処理モードと第２の処理モードのうちいずれか１つのモードを設定するモード設定手段と、前記記憶手段に記憶されている画像データに対する前記所定の処理の実行を前記制御手段に対して指示する指示手段と、前記モード設定手段により前記第１の処理モードが設定されている状態で前記指示手段により所定の処理の実行が指示された場合、前記所定の処理の実行を前記制御手段に行わせるとともに、前記外部機器に対する要求情報の送信を前記送信手段に行わせる第２の制御手段と、前記モード設定手段により前記第２の処理モードが設定されている状態で前記指示手段により所定の処理の実行が指示された場合、前記所定の処理の実行を前記制御手段に行わせる第３の制御手段とを備えるものとした。
【００４４】
かかる構成においては、ユーザが必要と判断した場合にのみ第１の処理モードを設定して要求情報を外部機器に送信することができるとともに、第１、第２の処理モードとも同じ指示操作により所定の処理を実行させることができるので操作性を大幅に向上させることができる。
【００４５】
また、請求項２１の発明にあっては、前記記憶手段に記憶されている画像データに対する前記所定の処理の実行を前記制御手段に対して指示する第１の指示手段と、前記記憶手段に記憶されている画像データに対する前記所定の処理の実行を前記制御手段に対して指示するとともに、前記外部機器に対する要求情報の送信を前記送信手段に対して指示する第２の指示手段とを備えるものとした。
【００４６】
かかる構成においては、指示操作方法を変更するだけで要求情報の送信の有無を選択することができるので操作性を大幅に向上させることができる。
【００４７】
また、請求項２２の発明にあっては、デジタルカメラのメモリに記憶されている画像データに対して所定の処理を実行する第１のステップと、前記所定の処理の実行を要求する要求情報を前記デジタルカメラから画像記録装置に対して送信する第２のステップと、前記画像記録装置が前記要求情報を受信する第３のステップと、受信した要求情報に基づき、前記画像記録装置のメモリに記憶されている、前記所定の処理が実行された画像データに対応した画像データに対して前記所定の処理を実行する第４のステップとを実行させる画像管理方法とした。
【００４８】
かかる構成においては、デジタルカメラにおいて、第１の記憶手段に記憶されている画像データに対して何らかの処理（消去処理、プロテクト処理、所定の画像加工処理など）が行われた際には、当該画像データに対応した画像データに対する同一の処理の実行を要求する要求情報が画像記録装置に送られることにより、画像記録装置においても、対応した画像データに同一の処理を行わせることができる。
【００４９】
また、請求項２３の発明にあっては、撮影処理により得られた画像データを記憶するメモリを備えたデジタルカメラが有するコンピュータに、前記メモリに記憶されている画像データに対して所定の処理を実行する第１の処理と、外部機器のメモリに記憶されている、前記所定の処理が実行された画像データに対応した画像データに対する前記所定の処理の実行を要求する要求情報を、前記外部機器に対して送信する第２の処理とを実行させるためのプログラムとした。
【００５０】
かかる構成においては、記憶手段に記憶されている画像データに対して何らかの処理（消去処理、プロテクト処理等）を行った際には、当該画像データに対応した画像データに対する同一の処理の実行を要求する要求情報を、外部機器に送ることができる。
【００５１】
【発明の実施の形態】
以下、本発明の一実施の形態を図にしたがって説明する。図１は、本実施の形態における画像管理システムの構成図であり、本システムはデジタルカメラ１と、それとＵＳＢケーブル等の通信ケーブル１００を介して接続された本発明の電子機器としてのＰＣ（パーソナルコンピュータ）２とから構成されている。図２は、デジタルカメラ１とＰＣ２との電気的構成を示すブロック図であり、各々の装置は以下に述べる構成を有している。
【００５２】
・デジタルカメラの構成
【００５３】
デジタルカメラ１は、光学レンズ系１１を介して結像された被写体の光学像を光電変換するＣＣＤ１２を有している。ＣＣＤ１２は、光電変換により生じた被写体の光学像に応じたアナログの撮像信号をＣＤＳ／ＡＤＣ回路１３へ出力する。ＣＤＳ／ＡＤＣ回路１３は、ＣＣＤ１２が出力した撮像信号に対し、相関二重サンプリングによるノイズの除去を行い、それをデジタル変換してシステムＬＳＩ１５に設けられたＦＣＰ回路１６に出力する。システムＬＳＩ１５には、ＣＣＤ１２の駆動タイミングを発生するＣＣＤＴＧ回路１７が含まれ、ＣＣＤＴＧ回路１７が生成したタイミング信号は、ＣＣＤ１２を駆動するＤＲＩＶＥ回路１８に出力される。
【００５４】
また、システムＬＳＩ１５には、デジタル化された撮像信号が前記ＦＣＰ回路１６を経て入力するＩＰＤＭＡＣ回路１９、ＭＣＰ回路２０、ＰＩＸＴＦＲ回路２１、ＪＰＥＧインターフェイス回路２２、ＪＰＥＧ回路２３が含まれている。ＪＰＥＧ回路２３は、ＣＣＤ１２で撮像された画像のデジタルデータをＪＰＥＧ規格に基づき圧縮・伸張する。圧縮されたデジタルデータはメディアＣＴＲＬ回路２４を介して最終的には画像ファイルとして、カメラ本体に装着された本発明の画像記憶手段であるメモリカード２５に記憶される。さらに、システムＬＳＩ１５には、ＣＣＤ１２で撮像された画像や、メモリカード２５から読み出され伸張された画像を表示する液晶表示器を含むＬＣＤモジュール２６を駆動するＬＣＤＴＧ回路２７、メモリカード２５から読み出され伸張された画像のデジタルデータに基づくビデオ信号を生成するＶＩＤＥＯ回路２８、ＶＩＤＥＯ回路２８の出力信号をアナログのビデオ信号に変換して出力するＤ／Ａ変換回路２９が含まれている。なお、Ｄ／Ａ変換回路２９から出力されるビデオ信号は、ビデオケーブル４０を介してカメラ本体に接続される外部モニタ４１に供給される。
【００５５】
また、デジタルカメラ１は、第１及び第２のマイコン３０，３１と、それらの動作プログラムが記憶されたプログラムＲＯＭ３２、第１及び第２のマイコン３０，３１が使用するＲＡＭからなるワークメモリ３３、ＫＥＹブロック３４、通信モジュール３５を備えている。
【００５６】
第１のマイコン３０はカメラ全体の動作を制御し、第２のマイコン３１は主として前記システムＬＳＩ１５の動作を制御する。ＫＥＹ入力ブロック３４は、電源のオン／オフを設定する電源スイッチ、撮像操作に用いるシャッタキー、記録モード、再生モードを含む各種モードを設定するモードキー、各種モードでの設定項目の選択や、表示画像の切り換えに用いる「＋」／「−」キー等の各種操作キーを含み、その操作信号を第１のマイコン３０に出力する。通信モジュール３５は本発明の送信手段であって、第１のマイコン３０の制御によりデジタルカメラ１における所定の操作情報をＰＣ２へ送信する。そして、本実施の形態においては、第１のマイコン３０が、プログラムＲＯＭ３２に記憶されている動作プログラムに従い後述する動作を実行することにより本発明の制御手段として機能する。
【００５７】
・パーソナルコンピュータ（ＰＣ）の構成
【００５８】
前記ＰＣ２は、ＣＰＵ５１、ＲＯＭ５２、ＲＡＭ５３、補助記憶装置５４、表示装置５５、入力装置５６、入出力インターフェイス５７を備えている。ＲＯＭ５２はＣＰＵ５１の基本動作を決めるＢＩＯＳが記憶されているメモリであり、ＲＡＭ５３はＣＰＵ５１の外部メモリである。補助記憶装置５４は、具体的にはハードディスクであって、ＯＳや各種のアプリケーションプログラムや画像ファィル等の各種データが記憶されている。また、補助記憶装置５４には、ＣＰＵ５１に後述する動作を行わせ、ＣＰＵ５１を本発明の連携制御手段として機能させるための所定のリンクソフト（プログラム）が記憶されている。なお、かかるリンクソフトは、デジタルカメラ１のメーカーから任意の方法により供給されたものである。表示装置５５はＣＲＴ又は液晶モニタであり、入力装置５６はキーボードやマウスである。入出力インターフェイス５７は、ＣＰＵ５１の制御に基づき他の機器との間におけるデータの送受信を行うための部分であり、本発明の受信手段として機能する。そして、入出力インターフェイス５７とデジタルカメラ１の通信モジュール３５とが前記通信ケーブル１００を介して接続されることにより双方間におけるデータ通信が可能となっている。
【００５９】
次に、以上の構成からなる本実施の形態におけるデジタルカメラ１に設けられている消去モードの動作について説明する。
【００６０】
図３は、消去モードに関するジェネラルフローチャートである。
【００６１】
デジタルカメラ１には、デジタルカメラ１のメモリカード２５に記録されている画像ファイルのみを消去対象とするノーマル消去モード（第１の消去モード）と、デジタルカメラ１のメモリカード２５及びＰＣ２の補助記憶装置５４に記録されている画像ファイルを消去対象とするグローバル消去モード（第２の消去モード）とが設けられている。
【００６２】
先ず、図３のステップＳ１でユーザによるＫＥＹ入力ブロック３４のモードキーの操作によりグローバル消去モードが選択設定されたか否かが判断される。
【００６３】
ここで、グローバル消去モードが選択設定されたと判断された場合にはステップＳ２に進みグローバル消去処理が実行される。
【００６４】
また、ステップＳ１でグローバル消去モードが選択設定されていないと判断された場合にはステップＳ３に進み、ユーザによるＫＥＹ入力ブロック３４のモードキーの操作によりノーマル消去モードが選択設定されたか否かが判断される。
【００６５】
ここで、ノーマル消去モードが選択設定されたと判断された場合にはステップＳ４に進みノーマル消去処理が実行される。
【００６６】
次に、図３のステップＳ２のグローバル消去処理の動作の概略を図４に示したフローチャートに従い説明する。すなわちデジタルカメラ１は、カメラ内の選択された画像を消去した後（ステップＳＡ１）、ＰＣ２に対して、消去した画像とリンクする（同一の）ＰＣ２内の画像の消去を依頼する（ステップＳＡ２）。それに対しＰＣ２は、所定の処理メッセージを表示した後（ステップＳＢ１）、カメラ内で消去された画像とリンクしている画像を消去し（ステップＳＢ２）、それが終了した時点で、その旨をデジタルカメラ１へ通知する（ステップＳＢ３）。その間、デジタルカメラ１は終了待ちの状態となっており（ステップＳＡ３）、ＰＣ２から終了通知があった時点で処理を終了する。
【００６７】
次に、図５に示したフローチャートに従い上記グローバル消去処理の詳細について説明する。なお、以下の説明では、ユーザーの操作によりＰＣ２において前述したリンクソフトが起動されているものとする。デジタルカメラ１はユーザによるモードキーの操作によりグローバル消去モードが設定されると、まず選択対象となる画像の番号ｎに「１」をセットする（ステップＳＡ１１）。なお、この番号は、メモリカード２５に記憶されている各画像（画像ファイル）に付したシリアル番号（管理番号）である。次に、かかる番号ｎ（当初は「１」）の画像ファイルをメモリカード２５から読み出し、その画像データをＪＰＥＧ回路２３で伸張し、ＬＣＤモジュール２６の画面に表示するとともに、操作待ちの状態となる（ステップＳＡ１２）。ここで、ユーザによるページ送りキー（画像切り替えキー）の操作があれば（ステップＳＡ１３でＹＥＳ）、前記番号ｎをインクリメントしてから（ステップＳＡ１７）、ステップＳＡ１２へ戻り、次の番号ｎの画像（ｎ枚目の画像）を画面表示する。
【００６８】
また、いずれかの画像を表示した状態でユーザーによって消去キーが操作されたら（ステップＳＡ１３でＮＯ、ステップＳＡ１４でＹＥＳ）、その時点で表示しているｎ番目の画像のファイルをメモリカード２５から消去する（ステップＳＡ１５）。しかる後、デジタルカメラ１とＰＣ２とが通信ケーブル１００により接続されているか否かを確認し、接続が確認できないときには（ステップＳＡ１６でＮＯ）、前記番号ｎをインクリメントしてから（ステップＳＡ１７）、ステップＳＡ１２へ戻り、次の画像を表示する。つまり、ＰＣ２と接続されていない場合には、ステップＳＡ１２〜ＳＡ１７の処理繰り返すことにより、ユーザーによって選択された画像ファイルをメモリカード２５から逐次消去する。
【００６９】
また、ＰＣ２との接続が確認できたら（ステップＳＡ１６でＹＥＳ）、消去コマンド、及びステップＳＡ１５で消去した画像ファイルのファイル名（本発明の操作情報）を通信ケーブル１００を介してＰＣ２へ送信した後（ステップＳＡ１８）、処理終了コマンドの受信待ちとなる（ステップＳＡ１９）。
【００７０】
その間、ＰＣ２では、消去コマンドを受信すると（ステップＳＢ１１でＹＥＳ）、消去コマンドと共に受信した画像ファイル名と一致する画像ファイルを補助記憶装置５４において検索する（ステップＳＢ１２）。そして、ファイル名が一致する画像ファィルがあれば（ステップＳＢ１３でＹＥＳ）、その画像ファィルを補助記憶装置５４から消去した後（ステップＳＢ１４）、処理終了コマンドを通信ケーブル１００を介してデジタルカメラ１へ送信し（ステップＳＢ１５）、一致する画像ファィルがなければ（ステップＳＢ１３でＮＯ）、直ちに処理終了コマンドを通信ケーブル１００を介してデジタルカメラ１へ送信する。以後、ＰＣ２は、前述したリンクソフトが終了されるまで上記処理を繰り返す。
【００７１】
そして、デジタルカメラ１においては、ＰＣ２から送られた処理終了コマンドを受信したら（ステップＳＡ１９でＹＥＳ）、前記番号ｎをインクリメントした後（ステップＳＡ１７）、ステップＳＡ１２へ戻り、前述した処理を繰り返す。
【００７２】
したがって、本実施の形態においては、ユーザーが、デジタルカメラ１とＰＣ２とを接続し、ＰＣ２においてリンクソフトを起動させた後、グローバル消去モードを用いてデジタルカメラ１で所望の画像ファイル（元ファイル）を消去すれば、それと対応する画像ファイル（複製ファイル）をＰＣ２側において自動的に消去させることができる。よって、ユーザーは、デジタルカメラ１とＰＣ２との各々が記憶する元画像とコピー画像についての整合性を容易に維持することが可能となる。
【００７３】
次に、図６に示したフローチャートに従い、図３のステップＳ４のノーマル消去処理の詳細について説明する。
【００７４】
デジタルカメラ１はユーザによるモードキーの操作によりノーマル消去モードが設定されると、まず選択対象となる画像の番号ｎに「１」をセットする（ステップＳＣ１１）。なお、この番号は、メモリカード２５に記憶されている各画像（画像ファイル）に付したシリアル番号（管理番号）である。次に、かかる番号ｎ（当初は「１」）の画像ファイルをメモリカード２５から読み出し、その画像データをＪＰＥＧ回路２３で伸張し、ＬＣＤモジュール２６の画面に表示するとともに、操作待ちの状態となる（ステップＳＣ１２）。ここで、ユーザによるページ送りキー（画像切り替えキー）の操作があれば（ステップＳＣ１３でＹＥＳ）、前記番号ｎをインクリメントしてから（ステップＳＣ１６）、ステップＳＣ１２へ戻り、次の番号ｎの画像（ｎ枚目の画像）を画面表示する。
【００７５】
また、いずれかの画像を表示した状態でユーザーによって消去キーが操作されたら（ステップＳＣ１３でＮＯ、ステップＳＣ１４でＹＥＳ）、その時点で表示しているｎ番目の画像のファイルをメモリカード２５から消去する（ステップＳＣ１５）。しかる後、前記番号ｎをインクリメントしてから（ステップＳＣ１６）、ステップＳＣ１２へ戻り、次の画像を表示する。つまり、ステップＳＣ１２〜ＳＣ１６の処理を繰り返すことにより、ユーザーによって選択された画像ファイルをメモリカード２５から逐次消去する。
【００７６】
したがって、ユーザはそのときの状況に応じて好適な消去モードを選択して画像ファイルを消去することが可能になる。
【００７７】
なお、本実施の形態では、グローバル消去モードとノーマル消去モードの２つの消去モードを設けるようにしたが、消去モードを１つのみ設けるようにしてもよい。
【００７８】
図７は、前述したグローバル消去処理とノーマル消去処理の双方の動作が実行可能な消去モードの動作を説明するためのフローチャートである。なお、ＰＣ２側の動作に関しては図５に示したものと同じであるので説明を省略する。また、第１の消去キーと第２の消去キーの２つの消去キーが設けられているものとする。
【００７９】
図７において、デジタルカメラ１はユーザによるモードキーの操作により消去モードが設定されると、まず選択対象となる画像の番号ｎに「１」をセットする（ステップＳＤ１１）。なお、この番号は、メモリカード２５に記憶されている各画像（画像ファイル）に付したシリアル番号（管理番号）である。次に、かかる番号ｎ（当初は「１」）の画像ファイルをメモリカード２５から読み出し、その画像データをＪＰＥＧ回路２３で伸張し、ＬＣＤモジュール２６の画面に表示するとともに、操作待ちの状態となる（ステップＳＤ１２）。ここで、ユーザによるページ送りキー（画像切り替えキー）の操作があれば（ステップＳＤ１３でＹＥＳ）、前記番号ｎをインクリメントしてから（ステップＳＤ１８）、ステップＳＤ１２へ戻り、次の番号ｎの画像（ｎ枚目の画像）を画面表示する。
【００８０】
また、いずれかの画像を表示した状態でユーザーによって第１の消去キーが操作されたら（ステップＳＤ１３でＮＯ、ステップＳＤ１４でＹＥＳ）、その時点で表示しているｎ番目の画像のファイルをメモリカード２５から消去する（ステップＳＤ１５）。しかる後、デジタルカメラ１とＰＣ２とが通信ケーブル１００により接続されているか否かを確認し、接続が確認できないときには（ステップＳＤ１６でＮＯ）、ＬＣＤモジュール２６の画面上に「ＰＣと接続してください」等の警告メッセージを表示させ（ステップＳＤ１７）、前記番号ｎをインクリメントしてから（ステップＳＤ１８）、ステップＳＤ１２へ戻り、次の画像を表示する。
【００８１】
また、ＰＣ２との接続が確認できたら（ステップＳＤ１６でＹＥＳ）、ＬＣＤモジュール２６の画面上に「ＰＣ内の画像を消去しますか？」等の消去確認メッセージを表示させる（ステップＳＤ１９）。
【００８２】
この消去確認メッセージが表示されている状態で、キャンセルキーの操作（ステップＳＤ２０）あるいは実行キーの操作（ステップＳＤ２１）がユーザによりなされるかを監視する。
【００８３】
ステップＳＤ２０でキャンセルキーの操作があった場合は、前記番号ｎをインクリメントしてから（ステップＳＤ１８）、ステップＳＤ１２へ戻り、次の画像を表示する。
【００８４】
また、ステップＳＤ２１で実行キーの操作があった場合は、ステップＳＤ２２に進み、消去コマンド、及びステップＳＤ１５で消去した画像ファイルのファイル名（本発明の操作情報）を通信ケーブル１００を介してＰＣ２へ送信した後（ステップＳＤ２２）、処理終了コマンドの受信待ちとなる（ステップＳＤ２３）。
【００８５】
そして、ＰＣ２から送られた処理終了コマンドを受信したら（ステップＳＤ２３でＹＥＳ）、前記番号ｎをインクリメントした後（ステップＳＤ１８）、ステップＳＤ１２へ戻り、前述した処理を繰り返す。
【００８６】
また、ステップＳＤ２４でユーザーによって第２の消去キーが操作された場合は、その時点で表示しているｎ番目の画像のファイルをメモリカード２５から消去してから（ステップＳＤ２５）、ステップＳＤ１８に進み、前記番号ｎをインクリメントしてからステップＳＣ１２へ戻り、次の画像を表示する。
【００８７】
したがって、いずれかの画像を表示した状態で、ユーザーにより第１の消去キーが操作された場合はグローバル消去処理を実行し、第２の消去キーが操作された場合はノーマル消去処理を実行するようにしたので、例えば、メモリカード２５にグローバル消去処理を行わせたい画像とノーマル消去処理を行わせたい画像とが混在して記憶されている場合であっても、操作する消去キーを変更するだけで済むので、グローバル消去モードとノーマル消去モードとを頻繁に切り替えるといった煩雑な操作が不要になる。
【００８８】
なお、本実施の形態では、ＰＣ２がステップＳＢ１２の処理において補助記憶装置５４から消去対象の画像ファイルを検索するとき、その検索場所が特定されていない場合を示したが、例えば前述したリンクソフトに、メモリカード２５からコピーした画像の保存先である１又は複数のディレクトリ（フォルダ）を設定可能な機能を持たせておき、ステップＳＢ１２の処理では、予め設定されている保存先にある画像ファイルだけを対象とする検索を行わせてもよい。その場合には、デジタルカメラ１におけるＰＣ２側の処理待ち（ステップＳＡ１９）に要する時間を短くすることができる。
【００８９】
また、本実施の形態では、デジタルカメラ１において画像ファイルが１つ消去される毎に、デジタルカメラ１がＰＣ２に消去コマンド及び消去した画像ファィルのファイル名を送信し、対応する画像ファィルの検索及び消去をＰＣ２に行わせるシステムを示したが、以下のようにしてもよい。すなわちデジタルカメラ１に、ユーザーによりグローバル消去モードが設定された状態にあるとき、消去された画像ファィルのファイル名を逐次記憶させるとともに、グローバル消去モードの終了操作があった時点で、消去コマンドと共に、記憶してある１又は複数のファイル名をＰＣ２側に送信させ、ＰＣ２においては、それに応じて１又は複数の画像ファィルの検索及び消去を一括して実行させるようにしてもよい。なお、図７の場合は、ユーザーにより消去モードが設定された状態にあるとき、第１の消去キーの操作により消去された画像ファィルのファイル名を逐次記憶させ、消去モードの終了操作があった時点で、消去コマンドと共に、記憶してある１又は複数のファイル名をＰＣ２側に送信することになる。このような構成にした場合には、デジタルカメラ１における前述したＰＣ２側の処理待ちを無くすことができる。
【００９０】
また、本実施の形態では、デジタルカメラ１において消去する画像ファイルをユーザが１つずつ選択する場合について選択したが、メモリカード２５（又は任意のフォルダ）に記憶されている全ての画像ファイルを一括消去できるようにしてもよい。このような構成にした場合、一括消去が指示された時点で、消去コマンドと共に一括消去された複数の画像ファイルのファイル名をＰＣ２側に送信することになる。
【００９１】
また、本実施の形態では、ＰＣ２に、ファィル名を利用してデジタルカメラ１側で消去された画像ファイル（元画像）と対応する画像ファィル（複製画像）を検索、かつ消去させるようにしたが、ファイル名はＰＣ２にコピーされた後に変更されてしまう可能性がある。したがって、デジタルカメラ１に、消去した画像ファイルに付加されている撮影日時や撮影場所、ファイルサイズ、撮影条件等の他の特定情報をＰＣ２に送信させ、ＰＣ２に、それらの特定情報を利用して消去対象の画像ファィルを検索させるようにしてもよい。
【００９２】
また、それとは別に、デジタルカメラ１が、撮影に伴い記憶する画像データにユニークなＩＤを埋め込んだり、そのＩＤを画像データの付加情報として画像ファィルに記録したりするものとし、前述したグローバル消去処理に際しては、消去する画像ファイルから上記ＩＤを抜き出し、そのＩＤと消去コマンドをＰＣ２に送信させる。そして、ＰＣ２には、受信したＩＤと一致するＩＤを有する画像ファィルを検索させ、それを消去させるようにしてもよい。
【００９３】
また、本実施の形態では、デジタルカメラ１とＰＣ２とが通信ケーブル１００を介して接続されるシステム構成を示したが、これ以外にも双方が、通信範囲が比較的狭い赤外線方式や、Ｂｌｕｅｔｏｏｔｈ（ブルートゥース）方式等の無線により接続される構成としてもよい。また、デジタルカメラ１とＰＣ２とが通信ネットワークを介して接続される構成としてもよい。さらには、例えば図８に示したように無線ＬＡＮや、携帯電話回線網、インターネット回線網等の各種の無線通信ネットワーク２００を介して互いに接続可能な構成を有するとともに、図２に示した基本構成及び無線通信機能を有するデジタルカメラ６１（カメラ付き携帯電話機でもよい）とＰＣ６２とによって本発明の画像管理システムを構成してもよい。
【００９４】
特に、そうしたシステムにおいては、デジタルカメラ６１が有するメモリに、接続先となるＰＣ６２をネットワーク上で特定する送信先情報（電話番号やインターネット上でのアドレス等）を記憶しておき、前記グローバル消去処理を実行する際にＰＣ６２と接続状態にないときには、上記送信先情報を利用して自動的にＰＣ６２に接続する処理を行わせた後、ユーザーにより消去された画像ファィルのファイル名と消去コマンドをＰＣ６２に送信することにより、ユーザーにより消去された画像ファィルと対応する画像ファィルをＰＣ６２において消去させるようにしてもよい。また、デジタルカメラ６１の接続先を無線通信ネットワーク２００上に設けられているサーバーとし、このサーバーのデータベースに記憶されている画像ファイルを消去させるようにしてもよい。
【００９５】
また、以上の説明においては、デジタルカメラ１，６１側において画像ファィルが消去されたとき、それと対応する画像ファィルをＰＣ２，６２側でも消去させるシステムについて述べたが、これに代えて、あるいは、これに加えて、デジタルカメラ１，６１側においてある画像ファィルにプロテクト処理、色変換やリサイズ等の画像加工（編集）処理等の他の処理を行ったとき、ＰＣ２，６２側においても、それと対応する画像ファィルに同様の処理を行わせるようにしてもよい。その場合においても、ユーザーは、デジタルカメラ１，６１とＰＣ２，６２との各々が記憶する元画像とコピー画像についての整合性を容易に維持することが可能となる。
【００９６】
また、以上の説明においては、デジタルカメラ１，６１側において画像ファィルに対して何らかの処理が実行されたとき、ある１つのＰＣ２，６２側に記憶されている対応の画像ファイルを同様に処理するシステムについて述べたが、ＰＣ２，６２は複数でもよく、この場合、複数のＰＣ２，６２に記憶されている同一の画像ファィルを一括して処理することが可能となる。
【００９７】
さらに、デジタルカメラ１，６１が撮影に際して記憶した画像ファィルを利用することができるものであれば、ＰＣ２，６２以外の他の電子機器（例えば、携帯電話機、通信機能付き携帯情報端末、ホームサーバー）とデジタルカメラ１，６１とによって本発明の画像管理システムを構成してもよい。その場合においても、各々が記憶する元画像とコピー画像についての整合性を容易に維持することが可能となる。
【００９８】
【発明の効果】
以上説明したように本発明の請求項１の画像管理システム及び請求項２２の画像管理方法においては、デジタルカメラにおいて、第１の記憶手段に記憶されている画像データに対して何らかの処理（消去処理、プロテクト処理、所定の画像加工処理など）が行われた際には、当該画像データに対応した画像データに対する同一の処理の実行を要求する要求情報が画像記録装置に送られることにより、画像記録装置においても、対応した画像データに同一の処理を行わせることができる。よって、デジタルカメラが記憶している本画像と、他の電子機器が記憶している本画像のコピー画像との整合性を確保することが可能となる。
【００９９】
また、請求項２の発明にあっては、画像記録装置における検索処理に要する負担を大幅に軽減させることができる。
【０１００】
また、請求項３の発明にあっては、画像記録装置において前記所定の処理が実行されたか否かをデジタルカメラ側で確実に認識することができ、画像記録装置に対して前記所定の処理を確実に行わせることができる。
【０１０１】
また、本発明の請求項４のデジタルカメラ及び請求項２３のプログラムにおいては、記憶手段に記憶されている画像データに対して何らかの処理（消去処理、プロテクト処理等）を行った際には、当該画像データに対応した画像データに対する同一の処理の実行を要求する要求情報を、外部機器に送ることができる。よって、それを用いることにより本発明の画像管理システム及び画像管理方法の実施が可能となる。
【０１０２】
また、請求項５の発明にあっては、外部機器において、画像識別情報に基づいて特定される画像データに対してコマンド情報に基づいて特定される処理を実行することができる。
【０１０３】
また、請求項６の発明にあっては、撮影時に画像データに対して付与された画像ファイル名を用いて外部機器において所定の処理を実行すべき画像データを特定することができる。
【０１０４】
また、請求項７の発明にあっては、デジタルカメラの記憶手段に記憶されている画像データを消去すると、外部機器に記憶されている対応する画像データも消去することができる。
【０１０５】
また、請求項８の発明にあっては、ユーザが記憶手段に記憶されている画像データの中から任意に選択した画像データに対してのみ所定の処理を行わせることができる。
【０１０６】
また、請求項９の発明にあっては、前記デジタルカメラと外部機器とが電気的に接続されていない場合は要求情報の送信処理を実行しないので無駄な処理の実行を防止することができる。
【０１０７】
また、請求項１０の発明にあっては、ユーザに要求情報が外部機器に送信できなかったことを知らせることができ、前記デジタルカメラと外部機器との電気的な接続をユーザに促すことができる。
【０１０８】
また、請求項１１の発明にあっては、確実に要求情報を外部機器に対して送信することができる。
【０１０９】
また、請求項１２の発明にあっては、デジタルカメラから外部機器に対して要求情報を通信ケーブルを利用して送信することができる。
【０１１０】
また、請求項１３の発明にあっては、デジタルカメラから外部機器に対して要求情報を無線通信を利用して送信することができる。
【０１１１】
また、請求項１４の発明にあっては、デジタルカメラから外部機器に対して要求情報を通信ネットワークを利用して送信することができる。
【０１１２】
また、請求項１５の発明にあっては、記憶手段に記憶されている画像データに対して何らかの処理を行った際には、当該画像データに対応した画像データに対する同一の処理の実行を要求する要求情報を、第２の記憶手段に記憶されている送信先情報に基づいて特定の外部機器に対して送ることができる。よって、デジタルカメラが複数の外部機器と接続されている（又は接続可能な）状態にあるとき、所定の外部機器との間においてのみ、各々が記憶する元画像とコピー画像との整合性を確保することが可能となる。
【０１１３】
また、請求項１６の発明にあっては、デジタルカメラ内の画像データとデジタルカメラからパーソナルコンピュータに転送した画像データとの整合性を確保することができる。
【０１１４】
また、請求項１７の発明にあっては、ユーザによる指示操作により所定の処理の実行と要求情報の送信とを行わせることができる。
【０１１５】
また、請求項１８の発明にあっては、ユーザが誤って指示操作を行ってしまった場合にユーザを救済することができる。
【０１１６】
また、請求項１９の発明にあっては、所定のモードが設定されている時に記憶手段に記憶されている画像データに対して何らかの処理（消去処理、プロテクト処理等）を行った場合にのみ要求情報を外部機器に送信するので、ユーザが必要と判断した場合にのみ所定のモードを設定して要求情報を外部機器に送信することができる。
【０１１７】
また、請求項２０の発明にあっては、ユーザが必要と判断した場合にのみ第１の処理モードを設定して要求情報を外部機器に送信することができるとともに、第１、第２の処理モードとも同じ指示操作により所定の処理を実行させることができるので操作性を大幅に向上させることができる。
【０１１８】
また、請求項２１の発明にあっては、指示操作方法を変更するだけで要求情報の送信の有無を選択することができるので操作性を大幅に向上させることができる。
【図面の簡単な説明】
【図１】本発明の一実施の形態を示す画像管理システムの外観図である。
【図２】画像管理システムの回路構成図である。
【図３】画像管理システムを構成するデジタルカメラに設けられている消去モードに関するジャネラルフローチャートである。
【図４】画像管理システムにおけるグローバル消去モードに関する動作手順の概略を示すフローチャートである。
【図５】画像管理システムにおけるグローバル消去モードに関する動作手順の詳細を示すフローチャートである。
【図６】デジタルカメラにおけるノーマル消去モードに関する動作手順の詳細を示すフローチャートである。
【図７】画像管理システムにおけるグローバル消去モードに関する他の動作手順の詳細を示すフローチャートである。
【図８】他の画像管理システムの構成図である。
【符号の説明】
１　　デジタルカメラ
２　　ＰＣ
１２　　ＣＣＤ
１５　　システムＬＳＩ
２５　　メモリカード
２６　　ＬＣＤモジュール
３０　　第１のマイコン
３２　　プログラムＲＯＭ
３５　　通信モジュール
４０　　ビデオケーブル
５１　　ＣＰＵ
５４　　補助記憶装置
５７　　入出力インターフェイス
１００　　通信ケーブル
【図１】
2004112755.tif 000003
【図２】
2004112755.tif 000004
【図３】
2004112755.tif 000005
【図４】
2004112755.tif 000006
【図５】
2004112755.tif 000007
【図６】
2004112755.tif 000008
【図７】
2004112755.tif 000009
【図８】
2004112755.tif 000010